(57)【要約】【課題】アンテナ体上に配置された太陽電池に起因する電波のシールドが抑制されるとともに、太陽電池の変形が抑制された電子時計を提供する。【解決手段】電子時計は、外光が入射する一方の面と前記外光が射出する他方の面を備えた光透過性の文字板と、文字板に対して外光が射出する方向に配置され、光発電を行うソーラーセルを有する太陽電池と、文字板に対して外光が射出する方向に配置され、電波を受信するアンテナ体と、文字板、前記太陽電池および前記アンテナ体を収容する外装ケースと、を備え、太陽電池には、貫通孔が設けられ、アンテナ体は、文字板に対して垂直な方向から見た平面視において、貫通孔と重なりを有し、太陽電池は、平面視において外装ケース側に張り出した張り出し部を有し、張り出し部は、平面視において張り出し部から外装ケースの内側に貫通孔が位置するように、設けられている。【選択図】図５
2018155686.tif 000002
【特許請求の範囲】
【請求項１】
外光が入射する一方の面と前記外光が射出する他方の面を備えた光透過性の文字板と、
前記文字板に対して前記外光が射出する方向に配置され、光発電を行うソーラーセルを有する太陽電池と、
前記文字板に対して前記外光が射出する方向に配置され、電波を受信するアンテナ体と、
前記文字板、前記太陽電池および前記アンテナ体を収容する外装ケースと、
を備え、
前記太陽電池には、貫通孔が設けられ、
前記アンテナ体は、前記文字板に対して垂直な方向から見た平面視において、前記貫通孔と重なりを有し、
前記太陽電池は、前記平面視において前記外装ケース側に張り出した張り出し部を有し、
前記張り出し部は、前記平面視において当該張り出し部から前記外装ケースの内側に前記貫通孔が位置するように、設けられている、
電子時計。
【請求項２】
前記太陽電池と位置決めされて配置される第１の部材を備え、
前記張り出し部は、前記太陽電池を前記第１の部材と位置決めする位置決め部を備える、
請求項１に記載の電子時計。
【請求項３】
前記太陽電池と接続される回路基板を備え、
前記張り出し部は、前記太陽電池を前記回路基板と接続する配線部材に接続される接続端子を備える、
請求項１または２に記載の電子時計。
【請求項４】
前記張り出し部に、前記ソーラーセルが設けられている、
請求項１〜３のうちいずれか１項に記載の電子時計。
【発明の詳細な説明】
【技術分野】
【０００１】
本発明は、電子時計に関する。
【背景技術】
【０００２】
衛星から送信された電波等の電波を受信するパッチアンテナ等のアンテナ体と、太陽電池とを備えた電子時計が知られている。このような電子時計は、太陽電池に光を入射させることができるように、光透過性の文字板を備えている。文字板の裏側に太陽電池が配置され、太陽電池の裏側にアンテナ体が配置される。
【０００３】
特許文献１に記載された技術では、アンテナ体上に配置された太陽電池に起因する電波のシールドを防ぐために、太陽電池の、アンテナ体上に配置される部分に、切欠き部を設けている。
【先行技術文献】
【特許文献】
【０００４】
【特許文献１】特開２０１０−９６７０７号公報
【発明の概要】
【発明が解決しようとする課題】
【０００５】
特許文献１に記載の技術のように切欠き部を設ける場合、太陽電池の外形は、切欠き部で切り込みが形成されて凹んだ形状となる。太陽電池の、切り込みを挟んだ両側の部分は、外周側に突出し先端が尖った形状となり、容易に変形しやすく、例えば反りやすい。このように、切欠き部を設けた太陽電池は、外周部が変形しやすいため、電子時計の組み立て時等において取り扱いが難しいといった問題がある。
【０００６】
本発明は、上述した事情に鑑みてなされたものであり、アンテナ体上に配置された太陽電池に起因する電波のシールドが抑制されるとともに、太陽電池の変形が抑制された電子時計を提供することを、解決課題の一つとする。
【課題を解決するための手段】
【０００７】
以上の課題を解決するため、本発明に係る電子時計の一態様は、外光が入射する一方の面と前記外光が射出する他方の面を備えた光透過性の文字板と、前記文字板に対して前記外光が射出する方向に配置され、光発電を行うソーラーセルを有する太陽電池と、前記文字板に対して前記外光が射出する方向に配置され、電波を受信するアンテナ体と、前記文字板、前記太陽電池および前記アンテナ体を収容する外装ケースと、を備え、前記太陽電池には、貫通孔が設けられ、前記アンテナ体は、前記文字板に対して垂直な方向から見た平面視において、前記貫通孔と重なりを有し、前記太陽電池は、前記平面視において前記外装ケース側に張り出した張り出し部を有し、前記張り出し部は、前記平面視において当該張り出し部から前記外装ケースの内側に前記貫通孔が位置するように、設けられている。
【０００８】
前記態様によれば、アンテナ体が平面視において太陽電池の貫通孔と重なりを有して配置されることで、アンテナ体がソーラーセルと重なることに起因する電波のシールドを抑制することができる。太陽電池のソーラーセルが配置されていない部分として、貫通孔を設けることで、当該部分として切欠き部を設ける場合と比べて、太陽電池の外周部が変形しにくくなり、電子時計の組み立て時等における太陽電池の取り扱いが容易になる。平面視において太陽電池の張り出し部から外装ケースの内側に貫通孔が配置されていることで、張り出し部が設けられずに貫通孔が配置されている場合と比べて、太陽電池の外周部の縁から貫通孔の縁までの幅を広くすることができる。これにより、太陽電池の貫通孔に対して外周側の部分の強度を、高めることができる。
【０００９】
上述した電子時計の一態様において、前記太陽電池と位置決めされて配置される第１の部材を備え、前記張り出し部は、前記太陽電池を前記第１の部材と位置決めする位置決め部を備える。この態様によれば、張り出し部を、位置決め部としても利用できる。
【００１０】
上述した電子時計の一態様において、前記太陽電池と接続される回路基板を備え、前記張り出し部は、前記太陽電池を前記回路基板と接続する配線部材に接続される接続端子を備える。この態様によれば、張り出し部を、配線部材との接続部としても利用できる。
【００１１】
上述した電子時計の一態様において、前記張り出し部に、前記ソーラーセルが設けられている。この態様によれば、張り出し部にソーラーセルを設けることで、発電量を増やすことができる。
【図面の簡単な説明】
【００１２】
【図１】本発明の実施形態に係る電子時計を含むＧＰＳの全体図である。
【図２】電子時計の外観を示す概略平面図である。
【図３】電子時計の概略を示す断面図である。
【図４】電子時計の電気制御ブロック図である。
【図５】太陽電池の外観を示す平面図である。
【図６】文字板受けリングの外観を示す平面図である。
【図７】地板の外観を示す平面図である。
【図８】太陽電池と回路基板とが接続された状態を示す斜視図である。
【図９】変形例による太陽電池の外観を示す平面図である。
【発明を実施するための形態】
【００１３】
以下、この発明の好適な実施の形態を、添付図面等を参照しながら詳細に説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
＜Ａ：電子時計の概要＞
【００１５】
図１〜図８を参照しつつ、本発明の一実施形態について説明する。図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００１６】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００１７】
ＧＰＳ衛星８は、約３０個が存在する（図１においては、４個のみを図示）。衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００１８】
ＧＰＳ衛星８は原子時計を搭載しており、衛星信号は原子時計で計時されたＧＰＳ時刻情報が含まれている。電子時計１０は、１つのＧＰＳ衛星８から送信された衛星信号を受信し、その中に含まれるＧＰＳ時刻情報を使用して得られた時刻（時刻情報）を内部時刻とする。
【００１９】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２０】
次に、電子時計１０の概略構成について説明する。図２は、電子時計の外観を示す概略平面図である。図３は、電子時計の概略を示す断面図である。
【００２１】
電子時計１０は、外装ケース３０と、カバーガラス３３と、裏蓋３４とを備えている。外装ケース３０は、金属で形成された円筒状のケース３１に、セラミックで形成されたベゼル３２が嵌合されて構成されている。ベゼル３２の内周側に、樹脂で形成されたリング状のダイヤルリング４０が配置されており、円盤状の文字板１１が時刻表示部分として配置されている。
外装ケース３０の側面には、文字板１１の中心より、２時方向の位置にＡボタン５１と、４時方向の位置にＢボタン５２と、３時方向の位置にリューズ５５とが設けられている。
【００２２】
外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、太陽電池１３５と、アンテナ体１１０と、文字板受けリング１２６と、地板１２５と、日車１３０と、日車押さえ１３１と、指針２１，２２，２３を駆動する駆動機構１４０などとが備えられている（収容されている）。
指針軸２５は、外装ケース３０の平面視における中心を通り、表裏方向に延在する中心軸に沿って設けられている。
【００２３】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。
【００２４】
文字板１１は、外装ケース３０の内側で時刻を表示する円形の板材であり、樹脂などの光透過性の材料で形成され、カバーガラス３３との間に指針２１，２２，２３などを備え、ダイヤルリング４０の下側に配置されている。
【００２５】
文字板１１は、外光が入射する一方の面１１ａと、外光が射出する他方の面１１ｂとを備える。文字板１１に対して垂直な方向（指針軸２５の軸方向に対して平行な方向）から電子時計１０を構成する部材を見ることを、平面視と称する。文字板１１に対して垂直な方向を、厚さ方向とも称する。文字板１１に対して平行な方向（指針軸２５の軸方向に対して垂直な方向、厚さ方向に対して垂直な方向）から、電子時計１０を構成する部材の断面を見ることを、断面視と称する。文字板１１に対して裏蓋３４側を、厚さ方向の下方とし、裏蓋３４側に対して文字板１１側を、厚さ方向の上方とする。図４に、厚さ方向をｚ方向（上方が正側）としたｘｙｚ直交座標系を示す。
【００２６】
文字板１１に対して外光が射出する方向に（文字板１１に対して下方に）、太陽電池（光電池）１３５が備えられている。太陽電池１３５は、文字板１１と地板１２５との間に配置されている。太陽電池１３５は、文字板１１から射出した光が入射し当該光の光エネルギーを電気エネルギー（電力）に変換する光発電を行うソーラーセル（光発電素子）を有する。また、太陽電池１３５は、太陽光の検出機能も有している。
【００２７】
文字板１１に対して外光が射出する方向に（文字板１１に対して下方に）、電波を受信するアンテナ体１１０が備えられている。アンテナ体１１０は、太陽電池１３５に対して下方に配置されている。アンテナ体１１０としては、例えばパッチアンテナ（マイクロストリップアンテナとも呼ばれる）が用いられる。
【００２８】
詳細は後述するように、太陽電池１３５のソーラーセルが、平面視でアンテナ体１１０と重なりを有すると、アンテナ体１１０が受信すべき電波がシールドされる。このようなシールドを抑制するために、太陽電池１３５には、ソーラーセルが配置されない部分として、貫通孔１３５ｇが設けられている。アンテナ体１１０は、平面視において貫通孔１３５ｇと重なりを有するように、貫通孔１３５ｇに対し下方に配置される。太陽電池１３５は、貫通孔１３５ｇよりも外周側に（平面視において外装ケース３０側に）、張り出し部１３５ｆを有する。
【００２９】
文字板１１に対して外光が射出する方向に（文字板１１に対して下方に）、文字板１１を保持する文字板受けリング１２６が備えられている。文字板受けリング１２６は、樹脂で形成されている。文字板受けリング１２６は、外装ケース３０の内周面３０ａに沿って配置されたリング形状を有する。太陽電池１３５は、平面視において、文字板受けリング１２６の内周面１２６ｈの内側に配置されている。
【００３０】
地板１２５上に、日車１３０と、日車１３０を保持する日車押さえ１３１とが備えられている。日車１３０および日車押さえ１３１は、樹脂で形成されている。日車１３０および日車押さえ１３１は、太陽電池１３５と、地板１２５との間に配置されている。
【００３１】
文字板１１、太陽電池１３５、日車押さえ１３１および地板１２５には、指針軸２５と、小窓８０の指針８１，８２の指針軸とが貫通する孔が形成されている。文字板１１および太陽電池１３５には、カレンダー小窓１５の開口部が形成されている。
【００３２】
地板１２５は、樹脂で形成されており、駆動機構１４０の取り付け部を有している。駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、小窓８０の指針８１，８２も同様の駆動機構（図示せず）を有し、各指針８１，８２が駆動する。
【００３３】
回路基板１２０は、受信部（ＧＰＳモジュール）１２２、制御部１５０およびアンテナ体１１０を備えている。回路基板１２０は、太陽電池１３５が発電した電力で充電されるリチウムイオン電池などの二次電池（図示せず）に接続されている。回路基板１２０の下方には、回路押え１２３が設けられている。
＜Ｂ：電子時計の表示機能＞
【００３４】
図２に示すように、文字板１１の外周部を囲むダイヤルリング４０の内周側には、内周を６０分割にする目盛が表記されている。この目盛を用いて、指針２１は通常時に第１時刻の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング４０には、１２分位置にアルファベットの「Ｙ」と、１８分位置にアルファベットの「Ｎ」の英字が表記されている。この英字は、ＧＰＳ衛星８から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン５１を３秒未満押すことで行われる。
【００３５】
小窓８０および指針８１，８２は、文字板１１の中心から６時方向の位置に設けられている。指針８１は、第２時刻の「分」を表示し、指針８２は、第２時刻の「時」を表示する。
指針９１は、文字板１１の中心から４時方向の位置に設けられ、第２時刻の午前および午後を表示する。
カレンダー小窓１５は、文字板１１を矩形状に開口した開口部に設けられており、開口部から数字が視認可能となっている。この数字は、年月日の「日」を表す。
【００３６】
またダイヤルリング４０には、内周側の目盛に沿って、協定世界時（ＵＴＣ）との時差を表す時差情報４５が、数字と数字以外の記号とで表記されている。数字の時差情報４５は整数の時差であり、記号の時差情報４５は整数以外の時差であることを表している。指針２１，２２，２３で表示された第１時刻と、ＵＴＣとの時差は、Ｂボタン５２を押すことにより指針２１が指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５や都市情報３５の表記をタイムゾーン表示４６という。本実施形態では、全世界で使用されているタイムゾーンの数と等しいタイムゾーン表示４６が表記されている。なお、図２に示す都市名の表記は一例であり、都市名は、タイムゾーンの変更に応じて適宜変更されることがある。
【００３７】
＜Ｃ：電子時計の電気的構成＞
次に、電子時計１０の電気的構成について説明する。
図４は、電子時計の電気制御ブロック図である。図４に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図２に示すＡボタン５１、Ｂボタン５２、リューズ５５である。なお、電子時計１０は、電源となる充電可能な二次電池（図示せず）を内蔵している。
【００３８】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図３に示すカバーガラス３３を通過した衛星信号の電波を受信する。
【００３９】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２は、ＧＰＳ衛星８から送信される衛星信号を受信し、受信結果に基づいてＧＰＳ時刻情報と位置情報とを出力する受信部として機能する。
【００４０】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４１】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００４２】
情報取得部は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００４３】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００４４】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、内部時刻が表示される。
【００４５】
＜Ｄ：太陽電池の構成＞
次に、電子時計１０の備える太陽電池１３５について、より詳しく説明する。併せて、文字板受けリング１２６および地板１２５についても説明する。
【００４６】
太陽電池１３５およびアンテナ体１１０の平面視における配置について説明する。図５は、太陽電池１３５の外観を示す平面図である。図５には、アンテナ体１１０の輪郭も示す。以下、矩形の平面形状を有するアンテナ体１１０が、９時位置に配置されている場合を例示する。
【００４７】
太陽電池１３５は、ソーラーフィルム１３５ｂを有する。太陽電池１３５は、ソーラーフィルム１３５ｂに加えて、太陽電池１３５を他の部材（例えば地板１２５、また例えば文字板受けリング１２６等）に取り付ける際の位置決め部が設けられた案内板を有してもよい。
【００４８】
ソーラーフィルム１３５ｂは、基板１３５ｅと、ソーラーセル１３５ｃとを有する。基板１３５ｅは、例えば樹脂のフィルムにより形成されており、ソーラーセル１３５ｃは、基板１３５ｅ上に形成されている。ソーラーセル１３５ｃは、半導体部と電極部とを有する。半導体部は、光エネルギーを電気エネルギーに変換する光発電を行う。電極部は、半導体部を挟んで配置された電極を有する。光が入射する側の電極として、光透過性の電極を用いることができる。
【００４９】
太陽電池１３５は、概略的に円形の外形を有する。複数個（本例では８個）のソーラーセル１３５ｃが、当該円形の周方向に並んで配置されて、直列接続されている。ソーラーセル１３５ｃの電極部が、平面視でアンテナ体１１０と重なりを有すると、アンテナ体１１０が受信すべき衛星信号の電波がシールドされる。
【００５０】
太陽電池１３５は、９時位置に、矩形状の貫通孔１３５ｇを有する。貫通孔１３５ｇには、基板１３５ｅおよびソーラーセル１３５ｃが配置されていない。アンテナ体１１０は、平面視において、貫通孔１３５ｇと重なりを有して配置されることで、太陽電池１３５と（少なくともソーラーセル１３５ｃと）重ならない部分を有する。このようにして、アンテナ体１１０がソーラーセル１３５ｃと重なることに起因する電波のシールドを抑制することができる。
【００５１】
なお、平面視において、アンテナ体１１０の全部がソーラーセル１３５ｃと重なりを有さないことが最も好ましいが、アンテナ体１１０の一部がソーラーセル１３５ｃと重なりを有する場合であっても、アンテナ体１１０の全部がソーラーセル１３５ｃと重なりを有する場合と比べて、上述のシールドを抑制することができる。
【００５２】
本実施形態では、アンテナ体１１０上で太陽電池１３５のソーラーセル１３５ｃが配置されていない部分（以下、太陽電池非配置部分と呼ぶ）として、貫通孔１３５ｇを設けている。ここで、以下のような第１比較形態を考える。第１比較形態では、太陽電池非配置部分として、太陽電池１３５の外周部を切り欠いた切欠き部を設ける。
【００５３】
第１比較形態のように切欠き部を設ける場合、太陽電池１３５の外形は、切欠き部で切り込みが形成されて凹んだ形状となる。太陽電池１３５の、切り込みを挟んだ両側の部分は、外周側に突出し先端が尖った形状となり、容易に変形しやすく、例えば反りやすい。このように、切欠き部を設ける場合、太陽電池１３５の外周部が変形しやすいため、電子時計１０の組み立て時等における太陽電池１３５の取り扱いが難しい。また、組み立てられた電子時計１０において、太陽電池１３５の切り込みを挟んだ両側の部分が反り、このような反りが光透過性の文字板１１を介して視認されることで、太陽電池非配置部分が視認されやすい。
【００５４】
一方、本実施形態では、太陽電池非配置部分として貫通孔１３５ｇを設けることで、太陽電池１３５の外形を、概略的に円形のまま保つことができる。このため、切欠き部を設ける第１比較形態と比べて、太陽電池１３５の外周部が変形しにくくなり、電子時計１０の組み立て時等における太陽電池１３５の取り扱いが容易になる。また、組み立てられた電子時計１０において、太陽電池１３５の太陽電池非配置部分が視認されにくい。
【００５５】
太陽電池１３５には、外周側に張り出した張り出し部１３５ｆ（平面視において外装ケース３０側に張り出した張り出し部１３５ｆ）が設けられている。張り出し部１３５ｆは、貫通孔１３５ｇの外周側に（平面視において張り出し部１３５ｆから外装ケース３０の内側に（外装ケース３０の内側の方向に）貫通孔１３５ｇが位置するように）、設けられている。
【００５６】
図５には、文字板受けリング１２６の輪郭も示されている。太陽電池１３５は、平面視において、文字板受けリング１２６の内周面１２６ｈの内側に、内周面１２６ｈから離間して配置されている。文字板受けリング１２６の内周と、太陽電池１３５の外周との間の間隙を利用して、張り出し部１３５ｆが設けられている。
【００５７】
ここで、以下のような第２比較形態を考える。第２比較形態では、太陽電池１３５の張り出し部１３５ｆを設けずに、貫通孔１３５ｇを設ける。本実施形態のように張り出し部１３５ｆが設けられ、張り出し部１３５ｆから外装ケース３０の内側に貫通孔１３５ｇが配置されていることで、第２比較形態のように張り出し部１３５ｆが設けられずに貫通孔１３５ｇが配置されている場合と比べて、太陽電池１３５の外周部の縁から貫通孔の縁までの幅ｗ１を広くすることができる。幅ｗ１を広くすることで、太陽電池１３５の貫通孔１３５ｇに対して外周側の部分の強度を、高めることができる。
【００５８】
図５に示す例において、貫通孔１３５ｇの外周側に配置された張り出し部１３５ｆは、案内用タブ１３５ｂ−１および案内用タブ１３５ｂ−２と、導通部１３５ｄとを備える。案内用タブ１３５ｂ−１および案内用タブ１３５ｂ−２と、導通部１３５ｄとは、太陽電池１３５の基板１３５ｅの外周部に設けられている。
【００５９】
案内用タブ１３５ｂ−１および案内用タブ１３５ｂ−２は、太陽電池１３５を地板１２５（第１の部材）と位置決めする位置決め部として用いられる。このように、張り出し部１３５ｆは、位置決め部としても利用できる。
【００６０】
導通部１３５ｄは、太陽電池１３５を回路基板１２０と電気的に接続する配線部材に接続される接続端子１３５ｉを備える。このように、張り出し部１３５ｆは、配線部材との接続部としても利用できる。当該配線部材としては、例えば導通バネが用いられる。
【００６１】
文字板受けリング１２６について説明する。図６は、文字板受けリング１２６の外観を示す平面図である。文字板受けリング１２６には、太陽電池フック部１２６ａと、地板受け部１２６ｆと、突状部１２６ｍとが設けられている。太陽電池フック部１２６ａは、文字板受けリング１２６に対して太陽電池１３５を固定するために用いられる。上述の案内板に設けられた係合部（図示せず）が、フック部１２６ａに係止される。地板受け部１２６ｆは、後述の、地板１２５が有する庇１２５ｆに対応する位置に設けられ、庇１２５ｆが嵌め合わされる。突状部１２６ｍは、文字板受けリング１２６の底面から裏蓋３４側に突出しており、文字板受けリング１２６を外装ケース３０に収納した際に、裏蓋３４に当たることにより、文字板受けリング１２６の厚さ方向への移動を規制する。
【００６２】
地板１２５について説明する。図７は、地板１２５の外観を示す平面図である。地板１２５には、案内用凸部１２５ａと、文字板高さ決め用凸部１２５ｂと、固定用ピン１２５ｃと、固定用ピン１２５ｃが設けられたフランジ部１２５ｄとが設けられている。太陽電池１３５の案内用タブ１３５ｂ−１と案内用タブ１３５ｂ−２とが、案内用凸部１２５ａを挟むように配置されることで、地板１２５に対して太陽電池１３５が位置決めされるとともに、周方向への移動が規制される。文字板高さ決め用凸部１２５ｂおよびフランジ部１２５ｄは、文字板１１が乗る文字板乗り面を構成する。固定用ピン１２５ｃは、ダイヤルリング４０の孔部と嵌め合わされ、ダイヤルリング４０を固定する。
【００６３】
地板１２５には、また、貫通孔１２５ｅと、庇１２５ｆと、庇１２５ｆの先端部に設けられた突起１２５ｋとが設けられている。貫通孔１２５ｅには、太陽電池１３５と回路基板１２０とを導通させるための導通バネが配置される。庇１２５ｆが、文字板受けリング１２６の地板受け部１２６ｆに嵌め合わされることで、地板１２５と地板受けリング１２６とが係合する。突起１２５ｋは、地板１２５を外装ケース３０に収納した際に、ケース３１の内周面に当たることにより、地板１２５の平面方向への移動を規制する。
【００６４】
太陽電池１３５と回路基板１２０との電気的な接続関係について説明する。図８は、太陽電池１３５と回路基板１２０とが接続された状態を示す斜視図である。太陽電池１３５の張り出し部１３５ｆが備える導通部１３５ｄに、導通バネ２００ａおよび２００ｂの一端側が接続され、回路基板１２０に、導通バネ２００ａおよび２００ｂの他端側が接続されている。
【００６５】
本発明は、上述した実施形態に限定されるものではなく、例えば次に述べるような各種の変形が可能である。また、次に述べる変形の態様及び実施形態は、任意に選択された一又は複数を、適宜に組み合わせることもできる。
【００６６】
図９は、上述の実施形態の変形例による太陽電池１３５の外観を示す平面図である。上述の実施形態では、貫通孔１３５ｇの外周側に配置された張り出し部１３５ｆに、ソーラーセル１３５ｃが設けられていない例を説明したが、本変形例のように、張り出し部１３５ｆに、ソーラーセル１３５ｃを設けてもよい。張り出し部１３５ｆにソーラーセル１３５ｃを設けることで、発電量を増やすことができる。このような態様は、広見切りタイプの電子時計に適用する場合において、特に好ましい。本例では、上述の実施形態では導通部として用いられていた部分１３５ｄに、ソーラーセル１３５ｃを設けた態様を例示している。ただし、本例では、当該部分１３５ｄは導通部としては用いず、太陽電池１３５の周方向の別の位置に接続端子１３５ｉを配置して、導通部としている。
【００６７】
なお、上述の実施形態および変形例では、張り出し部１３５ｆが他の機能も兼ねる部分（位置決め部、配線部材との接続部、または、ソーラーセル１３５ｃの配置部）である態様を例示したが、張り出し部１３５ｆは、他の機能を兼ねない部分として設けられてもよい。
【００６８】
なお、張り出し部１３５ｆの周方向の寸法は、貫通孔１３５ｇの周方向の寸法より広くてもよい。このような場合、貫通孔１３５ｇは、太陽電池１３５の円形形状の外形よりも外周側（外装ケース３０側）に突き出すように設けられてもよい。このように貫通孔１３５ｇが設けられている場合も、貫通孔１３５ｇより外周側に張り出し部１３５ｆは存在しており、平面視において張り出し部１３５ｆから外装ケース３０の内側に貫通孔１３５ｇが位置する。
【符号の説明】
【００６９】
１０…電子時計、１１…文字板、１１ａ…外光が入射する一方の面、１１ｂ…外光が射出する他方の面、２５…指針軸、３０…外装ケース、３０ａ…内周面、３３…カバーガラス、３４…裏蓋、４０…ダイヤルリング、１１０…アンテナ体、１２０…回路基板、１４０…駆動機構、１５０…制御部、１２５…地板、１２５ａ…案内用凸部、１２５ｂ…文字板高さ決め用凸部、１２５ｃ…固定用ピン、１２５ｄ…フランジ部、１２５ｅ…貫通孔、１２５ｆ…庇、１２５ｋ…突起、１２６…文字板受けリング、１２６ａ…太陽電池フック部、１２６ｆ…地板受け部、１２６ｍ…突状部、１２６ｈ…内周面、１３０…日車、１３１…日車押さえ、１３５…太陽電池、１３５ｂ…ソーラーフィルム、１３５ｂ−１…第１タブ、１３５ｂ−２…第２タブ、１３５ｃ…ソーラーセル、１３５ｄ…導通部、１３５ｅ…基板、１３５ｆ…張り出し部、１３５ｇ…貫通孔、１３５ｉ…接続端子、ｗ１…太陽電池の外周部の縁から貫通孔の縁までの幅、２００ａ…導通バネ、２００ｂ…導通バネ。
【図１】
2018155686.tif 000003
【図２】
2018155686.tif 000004
【図３】
2018155686.tif 000005
【図４】
2018155686.tif 000006
【図５】
2018155686.tif 000007
【図６】
2018155686.tif 000008
【図７】
2018155686.tif 000009
【図８】
2018155686.tif 000010
【図９】
2018155686.tif 000011